(57)【要約】      （修正有）【課題】操作しやすい形状をもった開閉部材を用いることにより、多くの人が使いやすい粒状物収納容器を提供する。【解決手段】上ケース１と下ケース２と開閉部材３からなり、上ケース１と下ケース２は、嵌合リブ４，５によって嵌合して容器本体の収納部２１を形成し、上ケース１の中央部に設けた下がり壁６と下ケースの中央部に設けた立ち上がり壁８は、嵌合リブ４，５によって嵌合し連接して空間を形成し、該空間に開閉部材３が水平に摺動可能に収納されており、開閉部材３は、貫通孔１６を有する指掛け部とその下部に突出した板状部１４と、指掛け部の両外側に摺動突起１７を有し、該摺動突起は、立ち上がり壁の上端に形成されたスライドレール１０上を水平に摺動可能であり、板状部１４は、立ち上がり壁８の基部に設けた切欠き部１１を経由して下ケース２に形成された排出口１２を覆う閉位置に移動可能である。【選択図】図１
2010013152.tif 000002
【特許請求の範囲】
【請求項１】
粒状の内容物を収納する容器であって、上ケースと下ケースと開閉部材からなり、上ケースと下ケースは、上ケース嵌合リブと下ケース嵌合リブによって嵌合して容器本体の収納部を形成し、上ケースの中央部に設けた下がり壁と下ケースの中央部に設けた立ち上がり壁は、それぞれ下がり壁嵌合リブと立ち上がり壁嵌合リブによって嵌合し連接して空間を形成し、該空間に前記開閉部材が水平に摺動可能に収納されており、該開閉部材は、貫通孔を有する指掛け部とその下部に突出した板状部と、前記指掛け部の両外側に摺動突起を有し、該摺動突起は、前記立ち上がり壁の上端に形成されたスライドレール上を水平に摺動可能であり、前記板状部は、前記立ち上がり壁の基部に設けた切欠き部を経由して下ケースに形成された排出口を覆う閉位置に移動可能であり、前記板状部上に乗った内容物は、前記開閉部材を開位置に移動させることにより、板状部が排出口上から移動し、内容物が落下することによって取り出すことを特徴とする粒状物収納容器。
【請求項２】
前記開閉部材に設けた摺動突起の中央部に垂直な溝が設けられており、前記下がり壁嵌合リブには前記溝に嵌合する垂直な係止突起が設けられており、前記開閉部材が閉位置と開位置において、前記溝と前記係止突起が嵌合して係止することを特徴とする請求項１に記載の粒状物収納容器。
【請求項３】
前記開閉部材の板状部の基部に仮止め突起が設けられており、該仮止め突起は、板状部が前記切欠き部へ待避するのを防止して開閉部材が閉位置において仮止めされることを特徴とする請求項１または２に記載の粒状物収納容器。
【発明の詳細な説明】
【技術分野】
【０００１】
本発明は、ガム、キャンデー等、粒状の菓子や錠剤などの粒状物を収納する容器に関し、操作しやすい形状の開閉部材を用いることによって多くの人が確実に内容物の取出しができる粒状物収納容器に関する。
【背景技術】
【０００２】
従来、粒状物を収納する容器として、さまざまな形態の容器が使用されているが、一般的には、身と蓋を有する容器のコーナー付近もしくは端部に設けられた開口部に嵌合蓋もしくはスライド蓋が設けられており、取出し時には開口部を開いて、振り出すようにして内容物を取り出す構造を持った容器が多く用いられている。これらの容器は、取り出すときに中身の粒が不用意に飛び出してしまったり、必要な粒数以上に粒が出てしまったりする点で使い勝手が悪かった。（特許文献１、２）
また、蓋の開閉には、多くの場合、爪で引っ掛ける操作や指先でこじあける操作を必要とする場合が多く、指先が十分に動かない人や、指先のない人には使いにくいものが多かった。
【特許文献１】実開平4-112072号公報
【特許文献２】特開平9-77152号公報
【発明の開示】
【発明が解決しようとする課題】
【０００３】
本発明は、上記の問題点に鑑み、操作しやすい形状をもった開閉部材を用いることにより、多くの人が使いやすい粒状物収納容器を提供するものである。
【課題を解決するための手段】
【０００４】
上記の課題を解決するための手段として、請求項１に記載の発明は、粒状の内容物を収納する容器であって、上ケースと下ケースと開閉部材からなり、上ケースと下ケースは、上ケース嵌合リブと下ケース嵌合リブによって嵌合して容器本体の収納部を形成し、上ケースの中央部に設けた下がり壁と下ケースの中央部に設けた立ち上がり壁は、それぞれ下がり壁嵌合リブと立ち上がり壁嵌合リブによって嵌合し連接して空間を形成し、該空間に前記開閉部材が水平に摺動可能に収納されており、該開閉部材は、貫通孔を有する指掛け部とその下部に突出した板状部と、前記指掛け部の両外側に摺動突起を有し、該摺動突起は、前記立ち上がり壁の上端に形成されたスライドレール上を水平に摺動可能であり、前記板状部は、前記立ち上がり壁の基部に設けた切欠き部を経由して下ケースに形成された排出口を覆う閉位置に移動可能であり、前記板状部上に乗った内容物は、前記開閉部材を開位置に移動させることにより、板状部が排出口上から移動し、内容物が落下することによって取り出すことを特徴とする粒状物収納容器である。
【０００５】
また、請求項２に記載の発明は、前記開閉部材に設けた摺動突起の中央部に垂直な溝が設けられており、前記下がり壁嵌合リブには前記溝に嵌合する垂直な係止突起が設けられており、前記開閉部材が閉位置と開位置において、前記溝と前記係止突起が嵌合して係止することを特徴とする請求項１に記載の粒状物収納容器である。
【０００６】
また、請求項３に記載の発明は、前記開閉部材の板状部の基部に仮止め突起が設けられており、該仮止め突起は、板状部が前記切欠き部へ待避するのを防止して開閉部材が閉位置において仮止めされることを特徴とする請求項１または２に記載の粒状物収納容器である。
【発明の効果】
【０００７】
本発明に係る粒状物収納容器は、上ケースと下ケースと開閉部材からなり、上ケースと下ケースは、上ケース嵌合リブと下ケース嵌合リブによって嵌合して容器本体の収納部を形成し、上ケースの中央部に設けた下がり壁と下ケースの中央部に設けた立ち上がり壁は、それぞれ下がり壁嵌合リブと立ち上がり壁嵌合リブによって嵌合し連接して空間を形成し、該空間に前記開閉部材が水平に摺動可能に収納されており、該開閉部材は、貫通孔を有する指掛け部とその下部に突出した板状部と、前記指掛け部の両外側に摺動突起を有し、該摺動突起は、前記立ち上がり壁の上端に形成されたスライドレール上を水平に摺動可能であり、前記板状部は、前記立ち上がり壁の基部に設けた切欠き部を経由して下ケースに形成された排出口を覆う閉位置に移動可能であり、前記板状部上に乗った内容物は、前記開閉部材を開位置に移動させることにより、板状部が排出口上から移動し、内容物が落下することによって取り出すようにしたので、指掛け部に指をかけて開閉部材の開閉操作ができ、また指掛け部は貫通孔を有するため、この貫通孔に指を通しても操作ができる。また場合によっては、この貫通孔に紐などを通して大きな輪にすれば、腕をこの輪に通して紐を引くことによっても開閉ができるので、指先に障害のある人でも確実に開閉操作ができるものである。
【０００８】
また、前記開閉部材に設けた摺動突起の中央部に垂直な溝を設け、前記下がり壁嵌合リブにはこの溝に嵌合する垂直な係止突起を設け、前記開閉部材が閉位置と開位置において、この溝と係止突起が嵌合して係止する構造を採用した場合には、開閉部材が閉位置と開位置において、この溝と係止突起の嵌合により、クリックストップする状態となるので、使用感が心地よくなり、また確実な開閉ができるようになる。
【０００９】
また前記開閉部材の板状部の基部に仮止め突起を設けた場合には、この仮止め突起は板状部が前記切欠き部へ待避するのを防止して開閉部材が閉位置において仮止めされるため、使用しない時に不用意に取出し口が開いて内容物がこぼれることがなくなり、使い勝手が向上する。
【００１０】
また容器本体を四隅が円弧状になった正方形状とし、排出口を隅に設け、各辺の中央部に内側にへこんだくぼみを形成し、前記開閉部材の貫通孔を、ひとさし指が挿入可能な太さの円筒形とした場合には、容器本体を片手で持って、人差し指を貫通孔に挿入することにより、片手で開閉操作ができるため、非常に使い易い容器となる。また全体の形状も丸みを帯びた形状であるため、子供にも安全であり、誰もが使いやすい容器である。
また、このような形状とした場合には、排出口の部分が狭くなるので、余分な内容物が排出口付近に集まることがなく、内容物の大きさによって、ほぼ一定の個数の粒を取り出すことが可能となる。
【発明を実施するための最良の形態】
【００１１】
本発明に係る粒状物収納容器について、図面に基づいて詳細に説明する。
図１は、本発明に係る粒状物収納容器の一実施例を示した斜視説明図である。図２は、図１に示した粒状物収納容器の平面説明図である。また図３は、同じ粒状物収納容器の使用方法を示した断面説明図であり、上段の図は開閉部材が閉位置にある状態を、また下段の図は開閉部材が開位置にあり、内容物が排出された状態を示した図である。
【００１２】
本発明の粒状物収納容器は、上ケース１と下ケース２と開閉部材３からなり、上ケース１と下ケース２は、上ケース嵌合リブ４と下ケース嵌合リブ５によって嵌合して容器本体の収納部２１を形成する。
上ケース１の中央部に設けた下がり壁６と下ケース２の中央部に設けた立ち上がり壁８は、それぞれ下がり壁嵌合リブ７と立ち上がり壁嵌合リブ９によって嵌合し連接して一つの中庭状の空間２２を形成している。
従って本発明の容器本体は全体として、中央部に中空の空間を有するドーナツ状の形状をしている。容器の外形については、特に制約はなく、円形でも四角形でも、その他多角形でも良い。
【００１３】
この中庭状の空間２２に前記開閉部材３が水平に摺動可能に収納されている。
開閉部材３は、貫通孔１６を有する指掛け部１３とその下部に突出した板状部１４と、指掛け部１３の両外側に摺動突起１７を有している。
摺動突起１７は、前記立ち上がり壁８の上端に形成されたスライドレール１０の上を水平に摺動可能である。スライドレール１０は、立ち上がり壁８の上端部の両側の直線部分を利用しており、この部分だけ立ち上がり壁嵌合リブ９を除いてある。
摺動突起１７の垂直方向の幅は、前記下がり壁嵌合リブ７の高さよりわずかに小さく、また摺動突起の高さ（出っ張り代）は、立ち上がり壁嵌合リブ９の厚さよりわずかに小さくなるように作られており、このため摺動突起１７は、スライドレール１０と下がり壁６の下面と下がり壁嵌合リブ７とによって囲まれた空間内を水平に移動することができる。
【００１４】
前記板状部１４は、立ち上がり壁８の基部に設けた切欠き部１１を経由して下ケース２に形成された排出口１２を覆う閉位置に移動可能であり、前記板状部１４の上に乗った内容物２０は、前記開閉部材３を開位置に移動させることにより、板状部１４が排出口１２の上から移動し、内容物２０が落下することによって容器外に排出される。
排出口の大きさは、内容物の大きさと、一度に排出する数によって決定される。
【００１５】
開閉部材３の移動開閉は、指で指掛け部１３を引っ掛けて移動してもよいし、指先を貫通孔１６に挿入して動かしても良い。貫通孔１６に指先を挿入して開閉することを想定する場合には、当然のことながら貫通孔１６は、指先が挿入できる大きさであることが必要となる。貫通孔１６には、別のひも等を通して輪を作り、この輪を持って容器の開閉を行うことも可能である。このようにすることにより、手指に障害のある人でも容易に開閉操作をすることができる。
【００１６】
本実施例では、開閉部材３の両側に設けた摺動突起１７のそれぞれの中央部に垂直な溝１８を設け、前記下がり壁嵌合リブ７には、この溝１８に嵌合する垂直な係止突起１９を４カ所設け、開閉部材３が閉位置と開位置において、前記溝１８と前記係止突起１９が嵌合して係止するようになっている。このようにする事により、開閉部材が開位置、閉位置それぞれの位置で溝１８と係止突起１９が嵌合することにより、クリックストップするため、使用感が心地よく、快適に使用でき、また確実に開閉操作を行うことができる。
【００１７】
本実施例では、開閉部材３の板状部１４の基部に仮止め突起１５を設けている。
仮止め突起１５は、板状部１４の表面から盛り上がった状態で形成されており、形状については特に限定されないが、なだらかな円形凸状が好適である。この仮止め突起１５は、板状部１４が前記切欠き部１１へ待避するのを防止して開閉部材３が閉位置において仮止めされるようになるので、開閉部材３が不用意に移動して排出口１２が開き、内容物２０が飛び出すのを防止する効果がある。
なお、仮止め突起１５の作用と前記係止突起１９の作用とは一部重複する部分があるので、重複する部分を除くことは可能であるが、不用意に排出口１２が開くという事態は、どうしても避けたいことであるから、安全性を考慮すると、仮止め突起１５と係止突起１９の両者が存在することには意味がある。
【００１８】
本実施例では、容器本体の形状を四隅が円弧状になった正方形状とし、四隅の一つの隅に排出口１２を配置し、各辺の中央部にはくぼみ２３を形成してある。
また開閉部材３の貫通孔１６は、ひとさし指が挿入可能な太さの円筒形としてある。
このようにする事により、容器を手に持って同じ手のひとさし指を貫通孔１６に挿入して
開閉操作を行うことが容易となり、片手で操作ができるので、非常に使い易い容器となる。すなわち、各辺に設けたくぼみ２３があるので、手に持ちやすく、滑って落とすことも少なくなる。また四隅が円弧状になっているので、角がなく子供にも安全である。
また排出口１２が隅の部分に配置されているので、この例では１個の内容物のみが排出口の上に存在可能であり、常に特定の個数の内容物を取り出すことが可能となる。
【００１９】
上ケース１、下ケース２、開閉部材３の材質については、特に限定されるものではないが、生産のしやすさ、コスト、使い勝手などを考慮すると、各種熱可塑性プラスチックが好ましく使用できる。各部材の色調や透明性、表面の凹凸性状、表面の加飾、文字やロゴ表示等は、内容物や使用目的に応じて任意に設定されるべきものであるが、排出口１２の周辺部分は、内容物の存在を確認できるように透明な素材とすると、使い勝手が向上する。
【図面の簡単な説明】
【００２０】
【図１】本発明に係る粒状物収納容器の一実施例を示した斜視説明図
【図２】図１に示した粒状物収納容器の平面説明図
【図３】図１に示した粒状物収納容器の使用方法を示した断面説明図
【符号の説明】
【００２１】
１・・・上ケース
２・・・下ケース
３・・・開閉部材
４・・・上ケース嵌合リブ
５・・・下ケース嵌合リブ
６・・・下がり壁
７・・・下がり壁嵌合リブ
８・・・立ち上がり壁
９・・・立ち上がり壁嵌合リブ
１０・・・スライドレール
１１・・・切欠き部
１２・・・排出口
１３・・・指掛け部
１４・・・板状部
１５・・・仮止め突起
１６・・・貫通孔
１７・・・摺動突起
１８・・・係止溝
１９・・・係止突起
２０・・・内容物
２１・・・容器本体の収納部
２２・・・空間
２３・・・くぼみ
【図１】
2010013152.tif 000003
【図２】
2010013152.tif 000004
【図３】
2010013152.tif 000005